(57)【特許請求の範囲】
【請求項１】
複数の送信装置から無線送信されたデータを受信する受信手段と、
情報を表示出力する表示手段と、
前記送信装置が位置する部屋の情報を記憶する記憶手段と、
自装置の動作を制御する制御手段とを備えており、
該制御手段は、
前記受信手段の受信状態を検出する受信状態検出手段と、
前記複数の送信装置のそれぞれを示す画像を、前記受信状態検出手段が検出した受信状態に基づいて表示するように前記表示手段を表示制御する表示制御手段とを備えており、
前記表示制御手段は、前記部屋のそれぞれに関して、前記受信状態検出手段が検出した受信状態のうち、前記部屋に位置する送信装置の受信状態に基づいて、前記部屋を示す画像を表示するように表示制御することを特徴とする表示装置。
【請求項２】
前記受信状態検出手段は、少なくとも、受信したデータのエラー率に基づいて受信状態を検出することを特徴とする請求項１に記載の表示装置。
【請求項３】
複数の通信装置のそれぞれとデータの無線通信を行う通信手段と、
情報を表示出力する表示手段と、
前記通信装置が位置する部屋の情報を記憶する記憶手段と、
自装置の動作を制御する制御手段とを備えており、
該制御手段は、
前記通信手段の通信状態を検出する通信状態検出手段と、
前記複数の通信装置のそれぞれを示す画像を、前記通信状態検出手段が検出した通信状態に基づいて表示するように前記表示手段を表示制御する表示制御手段とを備えており、
前記表示制御手段は、前記部屋のそれぞれに関して、前記通信状態検出手段が検出した通信状態のうち、前記部屋に位置する通信装置の通信状態に基づいて、前記部屋を示す画像を表示するように表示制御することを特徴とする表示装置。
【請求項４】
前記通信状態検出手段は、少なくとも、受信したデータのエラー率、または該エラー率に基づくデータの再送要求回数に基づいて、通信状態を検出することを特徴とする請求項３に記載の表示装置。
【請求項５】
前記表示制御手段は、前記通信状態検出手段が検出した通信状態に基づいて、自装置からの遠近を決定し、決定した遠近に基づいて、前記複数の通信装置のそれぞれを示す画像を表示するように前記表示手段を表示制御することを特徴とする請求項３に記載の表示装置。
【請求項６】
前記表示制御手段は、遠近法に基づいて表示するように前記表示手段を表示制御することを特徴とする請求項５に記載の表示装置。
【請求項７】
前記通信状態検出手段は、通信リンクが確立された前記通信装置との通信状態を検出することを特徴とする請求項３に記載の表示装置。
【請求項８】
前記表示制御手段は、前記複数の通信装置のそれぞれを示す画像を、前記通信状態検出手段が検出した通信状態に応じた形態で表示するように前記表示手段を表示制御することを特徴とする請求項３に記載の表示装置。
【請求項９】
複数の通信装置が表示装置と無線通信可能に接続された無線通信システムであって、
前記通信装置は、
前記表示装置とデータの無線通信を行う通信手段と、
自装置の動作を制御する制御手段とを備えており、
前記表示装置は、
前記通信装置とデータの無線通信を行う通信手段と、
情報を表示出力する表示手段と、
前記通信装置が位置する部屋の情報を記憶する記憶手段と、
自装置の動作を制御する制御手段とを備えており、
前記通信装置の制御手段は、
前記通信手段の通信状態を検出する通信状態検出手段と、
前記通信状態検出手段が検出した通信状態を、前記通信手段を介して前記表示装置に送信する通信状態送信手段を備えており、
前記表示装置の制御手段は、
前記複数の通信装置のそれぞれの通信状態検出手段が検出した通信状態を、前記通信手段を介して取得する通信状態取得手段と、
前記複数の通信装置のそれぞれを示す画像を、前記通信状態取得手段が取得した通信状態に基づいて表示するように前記表示手段を表示制御する表示制御手段とを備えており、
前記表示装置の前記表示制御手段は、前記部屋のそれぞれに関して、前記通信状態取得手段が取得した通信状態のうち、前記部屋に位置する通信装置の通信状態に基づいて、前記部屋を示す画像を表示するように表示制御することを特徴とする無線通信システム。
【請求項１０】
複数の通信装置が表示装置と無線通信可能に接続された無線通信システムであって、
前記通信装置は、
前記表示装置とデータの無線通信を行う通信手段と、
自装置の動作を制御する制御手段とを備えており、
前記表示装置は、
前記通信装置とデータの無線通信を行う通信手段と、
情報を表示出力する表示手段と、
自装置の動作を制御する制御手段とを備えており、
前記通信装置の制御手段は、
前記通信手段の通信状態を検出する通信状態検出手段と、
前記通信状態検出手段が検出した通信状態を、前記通信手段を介して前記表示装置に送信する通信状態送信手段を備えており、
前記表示装置の制御手段は、
前記複数の通信装置のそれぞれの通信状態検出手段が検出した通信状態を、前記通信手段を介して取得する通信状態取得手段と、
前記複数の通信装置のそれぞれを示す画像を、前記通信状態取得手段が取得した通信状態に基づいて表示するように前記表示手段を表示制御する表示制御手段とを備えており、
前記複数の通信装置のそれぞれは、
前記通信手段が、前記表示装置とともに他の通信装置とデータの無線通信を行っており、
前記通信状態検出手段が、前記表示装置とともに他の通信装置との通信状態を検出しており、
前記表示装置の表示制御手段は、前記通信状態取得手段が取得した各通信装置における通信状態に基づいて、前記複数の通信装置のそれぞれを示す画像を表示するように前記表示手段を表示制御することを特徴とする無線通信システム。
【請求項１１】
複数の通信装置が表示装置と無線通信可能に接続された無線通信システムであって、
前記通信装置は、
前記表示装置とデータの無線通信を行う通信手段と、
自装置の動作を制御する制御手段とを備えており、
前記表示装置は、
前記通信装置とデータの無線通信を行う通信手段と、
情報を表示出力する表示手段と、
自装置の動作を制御する制御手段とを備えており、
前記通信装置の制御手段は、
前記通信手段の通信状態を検出する通信状態検出手段と、
前記通信状態検出手段が検出した通信状態を、前記通信手段を介して前記表示装置に送信する通信状態送信手段を備えており、
前記表示装置の制御手段は、
前記複数の通信装置のそれぞれの通信状態検出手段が検出した通信状態を、前記通信手段を介して取得する通信状態取得手段と、
前記複数の通信装置のそれぞれを示す画像を、前記通信状態取得手段が取得した通信状態に基づいて表示するように前記表示手段を表示制御する表示制御手段とを備えており、
前記複数の通信装置のそれぞれは、
前記通信手段が、前記表示装置とともに他の通信装置とデータの無線通信を行っており、
前記通信状態検出手段が、他の通信装置との通信状態を検出しており、
前記表示装置は、
各通信装置との通信状態を検出する通信状態検出手段をさらに備えており、
前記表示制御手段は、前記通信状態取得手段が取得した各通信装置における通信状態と、前記通信状態検出手段が検出した各通信装置との通信状態とに基づいて、前記複数の通信装置のそれぞれを示す画像を表示するように前記表示手段を表示制御することを特徴とする無線通信システム。
【請求項１２】
前記通信装置の前記通信状態検出手段は、少なくとも、受信したデータのエラー率、または該エラー率に基づくデータの再送要求回数に基づいて、通信状態を検出することを特徴とする請求項９ないし１１の何れか１項に記載の無線通信システム。
【請求項１３】
前記表示装置の前記表示制御手段は、前記通信状態取得手段が取得した通信状態に基づいて、自装置からの遠近を決定し、決定した遠近に基づいて、前記複数の通信装置のそれぞれを示す画像を表示するように前記表示手段を表示制御することを特徴とする請求項９ないし１１の何れか１項に記載の無線通信システム。
【請求項１４】
前記表示装置の前記表示制御手段は、遠近法に基づいて表示するように前記表示手段を表示制御することを特徴とする請求項１３に記載の無線通信システム。
【請求項１５】
前記表示装置の前記通信状態取得手段は、通信リンクが確立された前記通信装置との通信状態を取得することを特徴とする請求項９ないし１１の何れか１項に記載の無線通信システム。
【請求項１６】
前記表示装置の前記表示制御手段は、前記複数の通信装置のそれぞれを示す画像を、前記通信状態取得手段が取得した通信状態に応じた形態で表示するように前記表示手段を表示制御することを特徴とする請求項９ないし１１の何れか１項に記載の無線通信システム。
【請求項１７】
複数の送信装置から無線送信されたデータを受信する受信手段と、情報を表示出力する表示手段と、前記送信装置が位置する部屋の情報を記憶する記憶手段とを備える表示装置の制御方法であって、
前記受信手段の受信状態を検出し、
検出した受信状態に基づいて、前記複数の送信装置のそれぞれを示す画像を表示するとともに、
前記検出した受信状態のうち、前記部屋のそれぞれに位置する送信装置の受信状態に基づいて、前記部屋を示す画像を表示することを特徴とする表示装置の制御方法。
【請求項１８】
複数の通信装置のそれぞれとデータの無線通信を行う通信手段と、情報を表示出力する表示手段と、前記通信装置が位置する部屋の情報を記憶する記憶手段とを備える表示装置の制御方法であって、
前記通信手段の通信状態を検出し、
検出した通信状態に基づいて、前記複数の通信装置のそれぞれを示す画像を表示するとともに、
前記検出した通信状態のうち、前記部屋のそれぞれに位置する通信装置の通信状態に基づいて、前記部屋を示す画像を表示することを特徴とする表示装置の制御方法。
【請求項１９】
複数の通信装置が表示装置と無線通信可能に接続された無線通信システムであって、
前記通信装置は、前記表示装置とデータの無線通信を行う通信手段を備えており、
前記表示装置は、前記通信装置とデータの無線通信を行う通信手段と、情報を表示出力する表示手段と、前記通信装置が位置する部屋の情報を記憶する記憶手段とを備える無線通信システムの制御方法であって、
前記通信装置の通信手段の通信状態を検出し、
検出した通信状態を、前記複数の通信装置のそれぞれから前記表示装置に送信し、
送信した通信状態に基づいて、前記複数の通信装置のそれぞれを示す画像を前記表示装置の表示手段に表示するとともに、
前記送信された通信状態のうち、前記部屋のそれぞれに位置する通信装置の通信状態に基づいて、前記部屋を示す画像を表示装置の表示手段に表示することを特徴とする無線通信システムの制御方法。
【請求項２０】
複数の通信装置が表示装置と無線通信可能に接続された無線通信システムであって、
前記通信装置は、前記表示装置とデータの無線通信を行う通信手段を備えており、
前記表示装置は、前記通信装置とデータの無線通信を行う通信手段と、情報を表示出力する表示手段とを備える無線通信システムの制御方法であって、
前記複数の通信装置のそれぞれは、前記通信手段が、前記表示装置とともに他の通信装置とデータの無線通信を行って、前記表示装置とともに他の通信装置との通信状態を検出し、
検出した通信状態を、前記複数の通信装置のそれぞれから前記表示装置に送信し、
送信された通信状態に基づいて、前記複数の通信装置のそれぞれを示す画像を前記表示装置の表示手段に表示することを特徴とする無線通信システムの制御方法。
【請求項２１】
複数の通信装置が表示装置と無線通信可能に接続された無線通信システムであって、
前記通信装置は、前記表示装置とデータの無線通信を行う通信手段を備えており、
前記表示装置は、前記通信装置とデータの無線通信を行う通信手段と、情報を表示出力する表示手段と、各通信装置との通信状態を検出する通信状態検出手段とを備える無線通信システムの制御方法であって、
前記複数の通信装置のそれぞれは、前記通信手段が、前記表示装置とともに他の通信装置とデータの無線通信を行って、他の通信装置との通信状態を検出し、
検出した通信状態を、前記複数の通信装置のそれぞれから前記表示装置に送信し、
送信された通信状態と、前記表示装置の通信状態検出手段が検出した各通信装置との通信状態とに基づいて、前記複数の通信装置のそれぞれを示す画像を前記表示装置の表示手段に表示することを特徴とする無線通信システムの制御方法。
【請求項２２】
請求項１ないし８の何れか１項に記載の表示装置を動作させるための表示装置制御プログラムであって、コンピュータを上記制御手段として機能させるための表示装置制御プログラム。
【請求項２３】
請求項９ないし１６の何れか１項に記載の無線通信システムを動作させるための無線通信制御プログラムであって、コンピュータを上記通信装置および上記表示装置の制御手段として機能させるための無線通信システム制御プログラム。
【請求項２４】
請求項２２に記載の表示装置制御プログラム、および／または、請求項２３に記載の無線通信システム制御プログラムが記録されたコンピュータ読取り可能な記録媒体。
【発明の詳細な説明】
【技術分野】
【０００１】
１または複数の送信装置から無線送信されたデータを受信する機能を有する表示装置と、上記送信装置および上記表示装置を備える無線通信システムと、これらの制御方法および制御プログラムと、該プログラムを記録したコンピュータ読取り可能な記録媒体に関するものである。
【背景技術】
【０００２】
近年、通信ネットワーク技術の発達とインターネットの爆発的な普及とに伴い、オフィス、家庭などで、ＬＡＮ（Local Area Network）を構築するケースが増えてきている。また、デジタル無線通信技術の進歩も手伝い、ケーブル配線の煩わしさから、無線でＬＡＮを構築するいわゆるワイヤレスＬＡＮのニーズも非常に高まっている。ワイヤレスＬＡＮは、ノート型パソコンに代表される移動端末を移動環境下で使用することが可能であるので、将来的には、かなりの普及台数が期待されている。
【０００３】
このワイヤレスＬＡＮの代表的な技術としては、既に、ＩＥＥＥ（Institute of Electrical and Electronics Engineers）において標準化されているＩＥＥＥ８０２．１１が挙げられる。この標準化された技術は、ＯＳＩ（Open Systems Interconnection）モデルにおける、物理層から、データリンクの下位層であるＭＡＣ（Media Access Control：媒体アクセス制御）層までを規定しており、有線のＬＡＮ伝送路である、イーサーネット（Ethernet）（登録商標）と置きかえることができ、さらに、ワイヤレスであるが故の付加機能として、ローミング（roaming）機能も提供できる仕様になっている。
【０００４】
従来、ＧＵＩ（Graphical User Interface）によるグラフィック表示可能な１台のテレビジョン（以下、「ＴＶ」と称する。）受像機に複数台のＡＶ（Audio Visual）機器を放射状に接続し、リモートコントローラ（以下、「リモコン」と略称する。）を操作してＴＶ受像機の表示画面上に各ＡＶ機器に関する情報をアイコン等で表示させ、このアイコン等を選択操作することにより各ＡＶ機器をＴＶ受像機で集中的に操作できるようにしたＡＶコントロールシステムが存在している。以下では、ＡＶ機器として、ビデオテープレコーダ（以下、「ＶＴＲ」と称する。）を例に挙げて説明する。
【０００５】
このようなＡＶコントロールシステムにおいて、或るＶＴＲを操作しようとする場合には、複数のＶＴＲの中から操作対象となるＶＴＲを選択する操作と、選択したＶＴＲに対し、例えば録音、再生、停止、巻戻し等のような複数の実行機能の中から所望の実行機能を選択する操作との２つの選択操作が必要である。
【０００６】
ＴＶ受像機は、各ＶＴＲに関するグラフィック表示データをテーブル形式でメモリに記憶している。このＴＶ受像機は、使用者が操作するリモコンから所望のＶＴＲに対する操作要求を受け取ると、表示画面上においてこのＶＴＲに１対１で対応付けられた位置に操作ウィンドウを開き、この操作ウィンドウの中に各種機能を示す複数の機能ボタンを表示する。表示した機能ボタンが使用者によってカーソルで選択されることにより、ＴＶ受像機は、選択された機能を実行するように前記ＶＴＲに指示する。
【０００７】
操作ウィンドウは、通常の映像と重複表示される。複数の操作ウィンドウを表示させたい場合には、上記の過程を操作ウィンドウの数だけ繰り返し実行する。
【０００８】
図１０は、上記ＡＶコントロールシステムの一例を示すブロック図である。図示のように、ＡＶコントロールシステム２００は、１台のＴＶ受像機２０１に放射状に４台のＶＴＲ２０２〜２０５を接続した構成である。このＡＶコントロールシステム２００において、例えば使用者がＶＴＲ（Ａ）２０２に再生動作を行わせる場合は、ＧＵＩを用いて下記のように操作する。
【０００９】
（１）まず、ＴＶ受像機２０１の制御部は、ＴＶ受像機２０１に接続した複数の制御ケーブル２０６〜２０９が、ＶＴＲ２０２〜２０５にそれぞれ接続しているか否かをチェックし、接続しているＶＴＲ２０２〜２０５について機種を調べ、機種テーブルに登録する。
【００１０】
（２）次に、使用者がＴＶ受像機２０１に、リモコン２１０を用いてメニュー表示を指定すると、ＣＲＴ等の表示画面上の４箇所にＶＴＲ（Ａ）２０２〜ＶＴＲ（Ｄ）２０５に対応する４個のアイコンが表示されると共にカーソルが表示される。
【００１１】
（３）次に、使用者がリモコン２１０を用いて、ＶＴＲ（Ａ）２０２に対応するアイコンをカーソルで指定すると、このアイコンの位置にＶＴＲ（Ａ）２０２に対応する操作ウィンドウが表示される。この操作ウィンドウ内には、録音ボタン、再生ボタン、停止ボタン、巻戻しボタンなどが表示される。
【００１２】
（４）このとき、例えば、ＶＴＲ（Ａ）２０２の操作ウィンドウ内の再生ボタンを押すと、ＴＶ受像機からＶＴＲ（Ａ）２０２に対して再生動作を起動するコマンドが送られ、同時に、ＴＶ受像機のビデオ入力をＶＴＲ（Ａ）２０２からのビデオ入力に切り換えるように指示するコマンドが発行される。その結果、ＶＴＲ（Ａ）２０２の再生動作が開始されると共に、ＶＴＲ（Ａ）２０２の出力がＴＶ受像機に入力され、表示画面にＶＴＲ（Ａ）２０２の再生画像が表示されることになる。
【００１３】
以上の従来例では、グラフィック表示データをＴＶ受像機の中に有している。これに対し、特許文献１に記載のように、グラフィック表示データを各ＡＶ機器が分散保持することにより、ＴＶ受像機は、要求に対する応答のみをグラフィック表示するようにして、新しいＡＶ機器の表示に対応できるものがある。また、特許文献２に記載のように、ＡＶ機器に故障が発生した時、ＡＶ機器側のエラーデータを表示することができるものがある。また、特許文献３には、ネットワークシステムの構成表示を各機器の機能も併せて表示することで機器の操作を行い易くした装置が開示されている。
【特許文献１】特開平９−１４９３２５号公報（図１）（公開日：１９９７年６月６日）
【特許文献２】特開平７−３３６７７８号公報（図１）（公開日：１９９５年１２月２２日）
【特許文献３】特開２００１−３３７７６３号公報（図１）（公開日：２００１年１２月７日）
【発明の開示】
【発明が解決しようとする課題】
【００１４】
しかしながら、このような従来のＡＶコントロールシステムにあっては、近くに存在するＡＶ機器を操作しているのか、ネットワークにつながった遠くのＡＶ機器を操作しているのかが分かり難いという問題があった。特に、離れた部屋にＡＶ機器がある場合やＡＶ機器が多数ある場合に、操作パネル上の表示において、希望する機器を探し出すのが困難であった。
【００１５】
本発明は、上記の問題点に鑑みてなされたものであって、その目的は、無線通信可能に接続されているＡＶ機器等の大まかな位置関係を容易に知ることができる表示装置、無線通信システムなどを提供することにある。
【課題を解決するための手段】
【００１６】
本発明に係る表示装置は、上記課題を解決するため、複数の送信装置から無線送信されたデータを受信する受信手段と、情報を表示出力する表示手段と、前記送信装置が位置する部屋の情報を記憶する記憶手段と、自装置の動作を制御する制御手段とを備えており、該制御手段は、前記受信手段の受信状態を検出する受信状態検出手段と、前記複数の送信装置のそれぞれを示す画像を、前記受信状態検出手段が検出した受信状態に基づいて表示するように前記表示手段を表示制御する表示制御手段とを備えており、前記表示制御手段は、前記部屋のそれぞれに関して、前記受信状態検出手段が検出した受信状態のうち、前記部屋に位置する送信装置の受信状態に基づいて、前記部屋を示す画像を表示するように表示制御することを特徴としている。
【００１７】
ここで、受信状態は、受信電波の電界強度および受信したデータのエラー率の何れか１つ、またはそれらの組合せに基づいて検出することができる。
【００１８】
上記の構成によると、受信状態検出手段が受信手段の受信状態を検出し、検出した受信状態に基づいて、表示制御手段が各送信装置の画像を表示するように表示手段を制御している。受信状態は、送信装置と表示装置との間の障害物にも依存するが、基本的には、送信装置と表示装置との間の距離に依存する。したがって、受信状態に基づいて、各送信装置の画像を表示することにより、ユーザが表示装置から各送信装置までの大まかな遠近を容易に把握することができ、所望の送信装置を探し出すことが容易となる。
【００１９】
また、前記表示制御手段が、前記部屋のそれぞれに関して、前記受信状態検出手段が検出した受信状態のうち、前記部屋に位置する送信装置の受信状態に基づいて、前記部屋を示す画像を表示するように表示制御している。これにより、表示装置から送信装置までの距離が似ている複数の送信装置であっても、部屋が異なることにより、送信装置の位置を容易に識別することができる。
【００２０】
本発明に係る表示装置は、上記課題を解決するため、複数の通信装置のそれぞれとデータの無線通信を行う通信手段と、情報を表示出力する表示手段と、前記通信装置が位置する部屋の情報を記憶する記憶手段と、自装置の動作を制御する制御手段とを備えており、該制御手段は、前記通信手段の通信状態を検出する通信状態検出手段と、前記複数の通信装置のそれぞれを示す画像を、前記通信状態検出手段が検出した通信状態に基づいて表示するように前記表示手段を表示制御する表示制御手段とを備えており、前記表示制御手段は、前記部屋のそれぞれに関して、前記通信状態検出手段が検出した通信状態のうち、前記部屋に位置する通信装置の通信状態に基づいて、前記部屋を示す画像を表示するように表示制御することを特徴としている。
【００２１】
ここで、通信状態は、受信電波の電界強度、受信したデータのエラー率、および該エラー率に基づくデータの再送要求回数の少なくとも１つに基づいて検出することができる。
【００２２】
上記の構成によると、通信状態検出手段が通信手段の通信状態を検出し、検出した通信状態に基づいて、表示制御手段が各通信装置の画像を表示するように表示手段を制御している。通信状態は、通信装置と表示装置との間の障害物にも依存するが、基本的には、通信装置と表示装置との間の距離に依存する。したがって、通信状態に基づいて各通信装置の画像を表示することにより、ユーザが表示装置から各通信装置までの大まかな遠近を容易に把握することができ、所望の通信装置を探し出すことが容易となる。
【００２３】
また、前記表示制御手段は、前記部屋のそれぞれに関して、前記通信状態検出手段が検出した通信状態のうち、前記部屋に位置する通信装置の通信状態に基づいて、前記部屋を示す画像を表示するように表示制御している。これにより、表示装置から通信装置までの距離が似ている複数の通信装置であっても、部屋が異なることにより、通信装置の位置を容易に識別することができる。
【００２４】
なお、前記表示制御手段は、前記通信状態検出手段が検出した通信状態に基づいて、自装置からの遠近を決定し、決定した遠近に基づいて、前記複数の通信装置のそれぞれを示す画像を表示するように前記表示手段を表示制御することが望ましい。この場合、各通信装置の画像を遠近に基づいて表示するので、ユーザが表示装置から各通信装置までの大まかな遠近をいっそう容易に把握することができ、所望の通信装置を探し出すことがいっそう容易となる。
【００２５】
ここで、遠近に基づいて画像を表示するには、例えば、遠近法に基づいて、近くに位置する通信機器の画像を大きく表示し、遠くに位置する通信機器の画像を小さく表示することが考えられる。或いは、３Ｄ表示で奥行きを表現することが考えられる。
【００２６】
また、前記通信状態検出手段は、通信リンクが確立された前記通信装置との通信状態を検出することが望ましい。この場合、ユーザが通信したい通信装置との受信状態を把握できるため、受信状態が改善されるように表示装置を移動させることができる。
【００２７】
また、前記表示制御手段は、前記複数の通信装置のそれぞれを示す画像を、前記通信状態検出手段が検出した通信状態に応じた形態で表示するように前記表示手段を表示制御することが望ましい。
【００２８】
ここで、形態としては、画像の形状、寸法、色などが挙げられる。また、通信状態に応じた形態としては、例えば、通信状態が良好である場合には、画像の輪郭を鮮鋭化したり、画像の寸法を大きくしたり、画像の色を濃くしたりすることが考えられる。一方、通信状態が不良である場合には、画像の輪郭を暈かしたり、寸法を小さくしたり、色を淡くしたりすることが考えられる。したがって、上記の構成によると、ユーザが表示装置から各送信装置までの大まかな遠近を感覚的に把握することができ、所望の送信装置を迅速に探し出すことができる。
【００２９】
本発明に係る無線通信システムは、上記課題を解決するため、複数の通信装置が表示装置と無線通信可能に接続された無線通信システムであって、前記通信装置は、前記表示装置とデータの無線通信を行う通信手段と、自装置の動作を制御する制御手段とを備えており、前記表示装置は、前記通信装置とデータの無線通信を行う通信手段と、情報を表示出力する表示手段と、前記通信装置が位置する部屋の情報を記憶する記憶手段と、自装置の動作を制御する制御手段とを備えており、前記通信装置の制御手段は、前記通信手段の通信状態を検出する通信状態検出手段と、前記通信状態検出手段が検出した通信状態を、前記通信手段を介して前記表示装置に送信する通信状態送信手段を備えており、前記表示装置の制御手段は、前記複数の通信装置のそれぞれの通信状態検出手段が検出した通信状態を、前記通信手段を介して取得する通信状態取得手段と、前記複数の通信装置のそれぞれを示す画像を、前記通信状態取得手段が取得した通信状態に基づいて表示するように前記表示手段を表示制御する表示制御手段とを備えており、前記表示装置の前記表示制御手段は、前記部屋のそれぞれに関して、前記通信状態取得手段が取得した通信状態のうち、前記部屋に位置する通信装置の通信状態に基づいて、前記部屋を示す画像を表示するように表示制御することを特徴としている。
【００３０】
上記の構成によると、通信状態検出手段が通信手段の通信状態を検出し、検出した通信状態に基づいて、表示制御手段が各通信装置の画像を表示するように表示手段を制御している。通信状態は、通信装置と表示装置との間の障害物にも依存するが、基本的には、通信装置と表示装置との間の距離に依存する。したがって、通信状態に基づいて各通信装置の画像を表示することにより、ユーザが表示装置から各通信装置までの大まかな遠近を容易に把握することができ、所望の通信装置を探し出すことが容易となる。
【００３１】
また、各通信装置が通信状態の検出を行うので、表示装置が通信状態検出手段を備える必要がない。したがって、表示装置の小型化、低消費電力化が可能である。このことは、表示装置が携帯電話機、ＰＤＡなどの携帯型端末装置において好適である。
【００３２】
また、前記表示装置の前記表示制御手段は、前記部屋のそれぞれに関して、前記通信状態取得手段が取得した通信状態のうち、前記部屋に位置する通信装置の通信状態に基づいて、前記部屋を示す画像を表示するように表示制御している。これにより、表示装置から通信装置までの距離が似ている複数の通信装置であっても、部屋が異なることにより、通信装置の位置を容易に識別することができる。
【００３３】
本発明に係る無線通信システムは、上記課題を解決するため、複数の通信装置が表示装置と無線通信可能に接続された無線通信システムであって、前記通信装置は、前記表示装置とデータの無線通信を行う通信手段と、自装置の動作を制御する制御手段とを備えており、前記表示装置は、前記通信装置とデータの無線通信を行う通信手段と、情報を表示出力する表示手段と、自装置の動作を制御する制御手段とを備えており、前記通信装置の制御手段は、前記通信手段の通信状態を検出する通信状態検出手段と、前記通信状態検出手段が検出した通信状態を、前記通信手段を介して前記表示装置に送信する通信状態送信手段を備えており、前記表示装置の制御手段は、前記複数の通信装置のそれぞれの通信状態検出手段が検出した通信状態を、前記通信手段を介して取得する通信状態取得手段と、前記複数の通信装置のそれぞれを示す画像を、前記通信状態取得手段が取得した通信状態に基づいて表示するように前記表示手段を表示制御する表示制御手段とを備えており、前記複数の通信装置のそれぞれは、前記通信手段が、前記表示装置とともに他の通信装置とデータの無線通信を行っており、前記通信状態検出手段が、前記表示装置とともに他の通信装置との通信状態を検出しており、前記表示装置の表示制御手段は、前記通信状態取得手段が取得した各通信装置における通信状態に基づいて、前記複数の通信装置のそれぞれを示す画像を表示するように前記表示手段を表示制御することを特徴としている。
【００３４】
上記の構成によると、上述のように、通信状態に基づいて各通信装置の画像を表示することにより、ユーザが表示装置から各通信装置までの大まかな遠近を容易に把握することができ、所望の通信装置を探し出すことが容易となる。また、各通信装置が通信状態の検出を行うので、表示装置が通信状態検出手段を備える必要がない。したがって、表示装置の小型化、低消費電力化が可能である。
【００３５】
ところで、通信状態により、表示装置から各通信装置までの大まかな遠近といった直線（１次元）上の位置関係は容易に把握できるが、さらに表示装置から各通信装置への方向を追加した平面（２次元）上の位置関係は、指向性を有する電磁波を送受信しない限り容易に把握することが困難である。
【００３６】
これに対し、上記の構成によると、各通信装置が、表示装置および他の通信装置のそれぞれとの通信状態を検出し、これらの検出した通信状態に基づいて、各通信装置を示す画像を表示している。この場合、或る通信装置が、表示装置および他の通信装置のそれぞれとの大まかな遠近を把握できるので、表示装置と通信装置との間の平面上の位置関係を容易に把握することができる。
【００３７】
なお、上記構成では、表示装置との通信状態の検出も通信装置が行っているが、表示装置が各通信装置との通信状態を検出する通信状態検出手段をさらに備えることにより、表示装置が行うこともできる。
【００３８】
なお、通信状態は、受信電波の電界強度、受信したデータのエラー率、および該エラー率に基づくデータの再送要求回数の少なくとも１つに基づいて検出することができる。
【００３９】
また、前記表示装置の前記表示制御手段は、前記通信状態取得手段が取得した通信状態に基づいて、自装置からの遠近を決定し、決定した遠近に基づいて、前記複数の通信装置のそれぞれを示す画像を表示するように前記表示手段を表示制御することが望ましい。この場合、各通信装置の画像を遠近に基づいて表示するので、ユーザが表示装置から各通信装置までの大まかな遠近をいっそう容易に把握することができ、所望の通信装置を探し出すことがいっそう容易となる。
【００４０】
ここで、遠近に基づいて画像を表示するには、例えば、遠近法に基づいて、近くに位置する通信機器の画像を大きく表示し、遠くに位置する通信機器の画像を小さく表示することが考えられる。或いは、３Ｄ表示で奥行きを表現することが考えられる。
【００４１】
また、前記表示装置の前記通信状態取得手段は、通信リンクが確立された前記通信装置との通信状態を取得することが望ましい。この場合、ユーザが通信したい通信装置との受信状態を把握できるため、受信状態が改善されるように表示装置を移動させることができる。
【００４２】
また、前記表示装置の前記表示制御手段は、前記複数の通信装置のそれぞれを示す画像を、前記通信状態取得手段が取得した通信状態に応じた形態で表示するように前記表示手段を表示制御することが望ましい。この場合、上述のように、ユーザが表示装置から各通信装置までの大まかな遠近を感覚的に把握することができ、所望の通信装置を迅速に探し出すことができる。
【００４３】
本発明に係る表示装置の制御方法は、上記課題を解決するため、
複数の送信装置から無線送信されたデータを受信する受信手段と、情報を表示出力する表示手段と、前記送信装置が位置する部屋の情報を記憶する記憶手段とを備える表示装置の制御方法であって、前記受信手段の受信状態を検出し、検出した受信状態に基づいて、前記複数の送信装置のそれぞれを示す画像を表示するとともに、前記検出した受信状態のうち、前記部屋のそれぞれに位置する送信装置の受信状態に基づいて、前記部屋を示す画像を表示することを特徴としている。
【００４４】
上記の方法によると、受信手段の受信状態を検出し、検出した受信状態に基づいて、各送信装置の画像を表示する。受信状態は、送信装置と表示装置との間の障害物にも依存するが、基本的には、送信装置と表示装置との間の距離に依存する。したがって、受信状態に基づいて、各送信装置の画像を表示することにより、ユーザが表示装置から各送信装置までの大まかな遠近を容易に把握することができ、所望の送信装置を探し出すことが容易となる。
【００４５】
さらに、前記検出した受信状態のうち、前記部屋のそれぞれに位置する送信装置の受信状態に基づいて、前記部屋を示す画像を表示する。これにより、表示装置から送信装置までの距離が似ている複数の送信装置であっても、部屋が異なることにより、送信装置の位置を容易に識別することができる。
【００４６】
本発明に係る表示装置の制御方法は、上記課題を解決するため、
複数の通信装置のそれぞれとデータの無線通信を行う通信手段と、情報を表示出力する表示手段と、前記通信装置が位置する部屋の情報を記憶する記憶手段とを備える表示装置の制御方法であって、前記通信手段の通信状態を検出し、検出した通信状態に基づいて、前記複数の通信装置のそれぞれを示す画像を表示するとともに、前記検出した通信状態のうち、前記部屋のそれぞれに位置する通信装置の通信状態に基づいて、前記部屋を示す画像を表示することを特徴としている。
【００４７】
上記の方法によると、通信手段の通信状態を検出し、検出した通信状態に基づいて、各通信装置の画像を表示する。通信状態は、通信装置と表示装置との間の障害物にも依存するが、基本的には、通信装置と表示装置との間の距離に依存する。したがって、通信状態に基づいて各通信装置の画像を表示することにより、ユーザが表示装置から各通信装置までの大まかな遠近を容易に把握することができ、所望の通信装置を探し出すことが容易となる。
【００４８】
さらに、前記検出した通信状態のうち、前記部屋のそれぞれに位置する通信装置の通信状態に基づいて、前記部屋を示す画像を表示する。これにより、表示装置から通信装置までの距離が似ている複数の通信装置であっても、部屋が異なることにより、通信装置の位置を容易に識別することができる。
【００４９】
本発明に係る無線通信システムの制御方法は、上記課題を解決するため、複数の通信装置が表示装置と無線通信可能に接続された無線通信システムであって、前記通信装置は、前記表示装置とデータの無線通信を行う通信手段を備えており、前記表示装置は、前記通信装置とデータの無線通信を行う通信手段と、情報を表示出力する表示手段と、前記通信装置が位置する部屋の情報を記憶する記憶手段とを備える無線通信システムの制御方法であって、前記通信装置の通信手段の通信状態を検出し、検出した通信状態を、前記複数の通信装置のそれぞれから前記表示装置に送信し、送信した通信状態に基づいて、前記複数の通信装置のそれぞれを示す画像を前記表示装置の表示手段に表示するとともに、前記送信された通信状態のうち、前記部屋のそれぞれに位置する通信装置の通信状態に基づいて、前記部屋を示す画像を表示装置の表示手段に表示することを特徴としている。
【００５０】
上記の方法によると、通信手段の通信状態を検出し、検出した通信状態に基づいて、各通信装置の画像を表示する。通信状態は、通信装置と表示装置との間の障害物にも依存するが、基本的には、通信装置と表示装置との間の距離に依存する。したがって、通信状態に基づいて各通信装置の画像を表示することにより、ユーザが表示装置から各通信装置までの大まかな遠近を容易に把握することができ、所望の通信装置を探し出すことが容易となる。また、通信装置が通信状態の検出を行うので、表示装置が通信状態の検出を行う必要がない。したがって、表示装置の小型化、低消費電力化が可能である。
【００５１】
さらに、前記送信された通信状態のうち、前記部屋のそれぞれに位置する通信装置の通信状態に基づいて、前記部屋を示す画像を表示する。これにより、表示装置から通信装置までの距離が似ている複数の通信装置であっても、部屋が異なることにより、通信装置の位置を容易に識別することができる。
【００５２】
本発明に係る無線通信システムの制御方法は、上記課題を解決するため、複数の通信装置が表示装置と無線通信可能に接続された無線通信システムであって、前記通信装置は、前記表示装置とデータの無線通信を行う通信手段を備えており、前記表示装置は、前記通信装置とデータの無線通信を行う通信手段と、情報を表示出力する表示手段とを備える無線通信システムの制御方法であって、前記複数の通信装置のそれぞれは、前記通信手段が、前記表示装置とともに他の通信装置とデータの無線通信を行って、前記表示装置とともに他の通信装置との通信状態を検出し、検出した通信状態を、前記複数の通信装置のそれぞれから前記表示装置に送信し、送信された通信状態に基づいて、前記複数の通信装置のそれぞれを示す画像を前記表示装置の表示手段に表示することを特徴としている。
【００５３】
上記の方法によると、上述のように、通信状態に基づいて各通信装置の画像を表示することにより、ユーザが表示装置から各通信装置までの大まかな遠近を容易に把握することができ、所望の通信装置を探し出すことが容易となる。また、通信装置が通信状態の検出を行うので、表示装置が通信状態の検出を行う必要がない。したがって、表示装置の小型化、低消費電力化が可能である。
【００５４】
さらに、各通信装置が、表示装置および他の通信装置のそれぞれとの通信状態を検出し、これらの検出した通信状態に基づいて、各通信装置を示す画像を表示している。この場合、或る通信装置が、表示装置および他の通信装置のそれぞれとの大まかな遠近を把握できるので、上述のように、表示装置と通信装置との間の平面上の位置関係を容易に把握することができる。
【００５５】
なお、上記の方法では、表示装置との通信状態の検出も通信装置が行っているが、表示装置が各通信装置との通信状態を検出する通信状態検出手段をさらに備えることにより、表示装置が行うこともできる。
【００５６】
なお、上記表示装置における制御手段を、表示装置制御プログラムによりコンピュータ上で実行させることができる。また、上記無線通信システムにおける制御手段を、無線通信システム制御プログラムによりコンピュータ上で実行させることができる。さらに、上記表示装置制御プログラム、および／または、上記無線通信システム制御プログラムをコンピュータ読取り可能な記録媒体に記憶させることにより、任意のコンピュータ上で上記表示装置制御プログラム、および／または、上記無線通信システム制御プログラムを実行させることができる。
【発明の効果】
【００５７】
本発明に係る表示装置は、以上のように、通信状態検出手段が通信手段の通信状態を検出し、検出した通信状態に基づいて、表示制御手段が各通信装置の画像を表示するように表示手段を制御するので、ユーザが表示装置から各通信装置までの大まかな遠近を容易に把握することができ、所望の通信装置を探し出すことが容易となるという効果を奏する。また、表示制御手段が、前記部屋のそれぞれに関して、前記通信状態検出手段が検出した通信状態のうち、前記部屋に位置する通信装置の通信状態に基づいて、前記部屋を示す画像を表示するように表示制御するので、表示装置から通信装置までの距離が似ている複数の通信装置であっても、部屋が異なることにより、通信装置の位置を容易に識別できるという効果を奏する。
【００５８】
本発明に係る通信システムは、以上のように、通信状態検出手段が通信手段の通信状態を検出し、検出した通信状態に基づいて、表示制御手段が各通信装置の画像を表示するように表示手段を制御するので、ユーザが表示装置から各通信装置までの大まかな遠近を容易に把握することができ、所望の通信装置を探し出すことが容易となるという効果を奏する。また、各通信装置が、他の通信装置のそれぞれとの通信状態を検出し、これらの検出した通信状態に基づいて、各通信装置を示す画像を表示装置が表示するので、或る通信装置が、表示装置および他の通信装置のそれぞれとの大まかな遠近を把握でき、表示装置と通信装置との間の平面上の位置関係を容易に把握できるという効果を奏する。
【発明を実施するための最良の形態】
【００５９】
以下、添付図面を参照しながら本発明の好適な実施の形態について詳細に説明する。
【００６０】
図１は、本発明の一実施形態であるワイヤレスＡＶシステム１の構成を示すブロック図である。本実施形態のワイヤレスＡＶシステム１として、ディスプレイ分離型のワイヤレスＴＶ受信機に適用した例である。また、図１１は、ディスプレイ分離型のワイヤレスＴＶ受信機であるワイヤレスＡＶシステム１の概略を示した説明図である。
【００６１】
図１および図１１に示すように、ワイヤレスＡＶシステム１（無線通信システム）は、ベース機器としてのワイヤレスセンタユニット（以下、ワイヤレスセンタという）２と、ポータブル端末（無線端末）としてのテレビジョン（ＴＶ）本体ユニット（以下、ＴＶ本体という）３とから構成され、ワイヤレスセンタ２（通信装置，センタ装置）とＴＶ本体３（通信装置，表示装置，端末装置）とはペアとなって無線伝送ネットワークを構成する。
【００６２】
図１１に示すように、ＴＶ本体３は、バッテリ内蔵でワイヤレスである。また、リモコンを備えて、ビデオデッキなどのリモコン操作ができるようになっている。また、ワイヤレスセンタ２は、ＢＳやＵ／ＶＨＦ等のアンテナやＤＶＤプレーヤやビデオデッキ等のＡＶ機器等に接続されている。そして、ワイヤレスセンタ２からＴＶ本体３へ、映像及び／又は音声データがワイヤレス伝送されるようになっている。また、ワイヤレスセンタ２とＴＶ本体３との間でコマンドが双方向にワイヤレス伝送されるようになっている。
【００６３】
図１に示すように、ワイヤレスセンタ２は、ＢＳ端子１１，Ｕ／ＶＨＦアンテナ端子１２，ダイバーシティ端子１３の各アンテナ端子と、デジタルＶＴＲ，ＤＶＤプレーヤなどの機器を接続するビデオ１入力端子（Ｓ端子付き）１４，ビデオ２入力端子（デコーダ入力）１５，ビデオ３入力端子（モニタ／ＢＳ出力兼用）１６と、ＡＣ電源１７またはＣａｒ−ＤＣ電源１８から電力が供給される電力供給端子とを備える。
【００６４】
ＴＶ本体３は、デジタルＶＴＲ，ＤＶＤ（Digital Versatile Disc）プレーヤなどの機器を接続するビデオ４入力端子（ＴＶ出力兼用）２１と、ＡＣ電源２２またはＣａｒ−ＤＣ電源２３から電力が供給される電源入力端子とを備える。
【００６５】
ＴＶ本体３は、ワイヤレスセンタ２と分離可能でバッテリ内蔵により携帯又は可搬できる薄型表示装置であり、例えば液晶テレビジョン（以下、液晶テレビという）、無機ＥＬ／有機ＥＬディスプレイ、プラズマディスプレイなどの種々の表示装置を含む広い概念であり、表示機構により限定されるものではない。また、本明細書において、ＴＶ本体３は、主として表示出力機能や音響出力機能などを有し、一方、ワイヤレスセンタ２は、主としてチューナ部やＴＶ本体３を制御する制御機能などを収容する。本実施の形態によるＴＶ本体３は、薄型表示装置として液晶テレビを例にして説明する。
【００６６】
ワイヤレスセンタ２とＴＶ本体３間は、ＩＥＥＥ８０２．１１規格に準拠するＳＳ（Spread Spectrum：スペクトラム拡散）無線方式によりデータ（映像及び／又は音声データ）が送受信される。最近、周波数帯として５ＧＨｚ帯が開放され、２．４ＧＨｚ帯の代わりに５ＧＨｚ帯を用いる態様でもよい。ワイヤレスセンタ２からＴＶ本体３へのデータ伝送は、ＭＰＥＧ（Moving Picture Expert Group）２の映像圧縮フォーマットを用いて、動画像伝送やＤＶＤ−Ｖｉｄｅｏ、デジタル放送を１０Ｍｂｐｓを超える通信回線で伝送する。また、ワイヤレスセンタ２とＴＶ本体３間のコマンド（伝送チャンネル変更情報を含む制御コマンド）伝送は、ＳＳ無線方式により行う。
【００６７】
ＭＰＥＧビデオやＭＰＥＧオーディオの符号化されたストリーム（ビット列）、さらに他の符号化ストリームも含めて実際のアプリケーションに適用する場合には、同期を含めて符号化ストリームを多重化して統合し１本化するとともに、そのストリームを蓄積メディアやネットワーク等が持つ、固有の物理フォーマットやプロトコルに適合したデータ形式にする必要がある。
【００６８】
ＭＰＥＧ２システムには、ＭＰＥＧ１と同様に１つのプログラムを構成するプログラム・ストリーム（ＭＰＥＧ２−ＰＳ，ＰＳ：Program Stream）と、複数のプログラムを構成できるトランスポート・ストリーム（ＭＰＥＧ２−ＴＳ，ＴＳ：Transport Stream）とがある。
【００６９】
ＭＰＥＧストリームは、１ビットのフラグも多数あるがヘッダなどの各単位ごとにバイト整列されたバイト・ストリームである。ＭＰＥＧシステム全体に共通した構造として固定長でないデータ部分には、長さを示す情報が先行して置かれ、不要な場合はその部分をスキップしたり、次のデータ群の先頭を確認して信頼性の高い分離処理ができるデータ構造となっている。
【００７０】
ＭＰＥＧ２符号化方式に準拠し、圧縮された映像、音声信号を受信する装置は、復号化側において映像、音声データのオーバーフロー、アンダーフローを防止するために、符号化側での映像、音声サンプリング周波数と、復号化側での映像、音声サンプリング周波数またはＳＴＣ（System Time Clock）を一致させる必要がある。
【００７１】
そのため、復号化装置ではＭＰＥＧ２システム規格（ＩＳＯ／ＩＥＣ規格１３８１８−１）で規定されたＰＣＲ（Program Clock Reference：プログラム時刻基準参照値）またはＳＣＲ（System Clock Reference：システム時刻基準参照値）を用いることにより、符号化側の映像、音声サンプリング周波数と復号化側の映像、音声サンプリング周波数を一致させている。
【００７２】
図２は、上記ワイヤレスＡＶシステム１のワイヤレスセンタ２の構成を示すブロック図である。
【００７３】
図２において、ワイヤレスセンタ２は、ＢＳ端子１１に接続され選局信号４１によりＢＳ放送を受信・選局するＢＳチューナ３１と、Ｕ／ＶＨＦアンテナ端子１２に接続され選局信号４１によりＵ／ＶＨＦ放送を受信・選局するＵ／ＶＨＦチューナ３２と、ＢＳチューナ３１又はＵ／ＶＨＦチューナ３２で受信・選局された映像・音声（ＡＶ）信号を復調する映像・音声復調部３３と、音声切換信号４２により受信した音声とＥＰＧ（Electrical Program Guide：電子番組ガイド）などの番組に関する情報とを切換える音声切換部３４と、ソース選択信号４３により受信した映像・音声情報、番組に関する情報、ビデオ１入力端子（外部入力１）１４、ビデオ２入力端子（デコーダ入力）（外部入力２）１５、ビデオ３入力端子（モニタ／ＢＳ出力兼用）（外部入力３）１６からの外部入力情報を選択する第１のセレクタ３５と、ＴＶコマンド信号４４を送受信して第１のセレクタ３５により選択されたデータをＭＰＥＧ２の映像圧縮フォーマットに変換し、ＳＳ無線方式によりＴＶ本体３に送信するＳＳ送受信ユニット３６（通信手段，通信状態検出手段，通信状態送信手段）と、選局信号４１，音声切換信号４２，ソース選択信号４３等を送信するとともに、ＴＶコマンド信号４４を送受信して装置全体の制御を行うワイヤレスセンタマイクロコンピュータ（以下、マイコンという）３７（制御手段）と、ワイヤレスセンタマイコン３７の制御プログラム、通信制御データ、さらに伝送チャンネル変更プログラム等の種々のデータを記憶する電気的に書換可能な不揮発性メモリであるＥＥＰＲＯＭ（electrically erasable programmable ROM）３８（記憶手段）とを備えて構成される。
【００７４】
ワイヤレスセンタ２は、放送受信用チューナを複数（ここでは２台）備え、複数のＢＳチューナ３１，Ｕ／ＶＨＦチューナのうち少なくとも１つは地上デジタル放送受信可能なチューナであってもよい。
【００７５】
ＳＳ送受信ユニット３６は、第１のセレクタ３５により選択されたデータをデジタル信号に変換するＡ／Ｄ変換部５１、データをＭＰＥＧ２の映像圧縮フォーマットに変換するＭＰＥＧ２エンコーダ５２、送信データをＳＳ無線方式により送信するＳＳ無線機及び無線制御部からなるＳＳ無線送受信エンジン５３、及びＳＳ送受信ユニット３６の各部を制御するとともに、電波状態を検出する第１のＳＳ−ＣＰＵ（Central Processing Unit）５４を備えて構成される。
【００７６】
ＳＳ無線送受信エンジン５３は、ＴＶ本体３のＳＳ送受信ユニット６１（図３で後述する）に、ＭＰＥＧ２ストリームやコマンド等を送信する送信機能と、ＳＳ送受信ユニット６１との間でコマンド等を受信する受信機能とを備える。
【００７７】
ＥＥＰＲＯＭ３８に書き込むプログラムを変えることによってワイヤレスセンタ２及びＴＶ本体３における各種の仕様を変更することができる。すなわち、最近ではシステム開発のデバッグごとにマスクＲＯＭを変更する時間損失を回避するため、プログラムＲＯＭを不揮発性メモリ、例えばＥＰＲＯＭ，ＥＥＰＲＯＭとし、プログラム開発・修正時間の大幅な短縮を図っている。また、プログラムをダウンロードしてＥＥＰＲＯＭのプログラム内容を書き換えるようにすれば機能のアップグレードや機能の変更を容易に行うことが可能になる。
【００７８】
図３は、上記ワイヤレスＡＶシステム１のＴＶ本体３の構成を示すブロック図である。
【００７９】
図３において、ＴＶ本体３は、ＴＶコマンド信号７１を送受信してワイヤレスセンタ２のＳＳ送受信ユニット３６から送信されたＭＰＥＧ２ストリームやコマンド伝送データを受信するとともに、受信したＭＰＥＧ２ストリームなどを元データにデコード（復元）するＳＳ送受信ユニット６１（通信手段，通信状態検出手段，通信状態取得手段）と、ＳＳ送受信ユニット６１により復元したデータとビデオ４入力端子（ＴＶ出力兼用）（外部入力４）２１を介して外部から入力されるＡＶ信号とをソース選択信号７２により選択する第２のセレクタ６２と、映像信号を表示し音声信号を出力するＬＣＤ，スピーカ等からなるＴＶ部６３（表示手段）と、テレビ放送などの原画像とＯＳＤ（オン・スクリーン・ディスプレイ）表示との画像重畳処理をＯＳＤ出力信号７３により行うＯＳＤ合成部６９と、ＴＶコマンド信号７１を送受信するとともに、ソース選択信号７２、ＯＳＤ出力信号７３等を送信して装置全体の制御を行うＴＶマイコン６４（制御手段）と、ＴＶマイコン６４の制御プログラム、通信制御データ、さらに伝送チャンネル変更プログラム等の種々のデータを記憶する電気的に書換可能な不揮発性メモリであるＥＥＰＲＯＭ６５（記憶手段）と、図示しないリモートコントロール装置（以下、リモコン装置という）からの制御コマンドを受光するリモコン受光部６６と、バッテリ６７と、バッテリ６７の充放電を制御するバッテリチャージャマイコン６８とを備えて構成される。
【００８０】
ＳＳ送受信ユニット６１は、ＳＳ無線方式により送信されたデータを受信するＳＳ無線機及び無線制御部からなるＳＳ無線送受信エンジン８１、受信したＭＰＥＧ２ストリームをデコードするＭＰＥＧ２デコーダ８２、デコードされたデータをアナログ信号に変換するＤ／Ａ変換部８３、及びＳＳ送受信ユニット６１の各部を制御するとともに、電波状態を検出する第２のＳＳ−ＣＰＵ８４（通信状態検出手段）を備えて構成される。
【００８１】
ＳＳ無線送受信エンジン８１は、ワイヤレスセンタ２のＳＳ送受信ユニット３６からのＭＰＥＧ２ストリームやコマンド等を受信する受信機能と、ＳＳ送受信ユニット６１からコマンド等を送信する送信機能とを備える。
【００８２】
特に、第２のＳＳ−ＣＰＵ８４は、受信電波の電界強度、エラー率、エラー率に基づく再送要求によりワイヤレスセンタ２とＴＶ本体３間の通信状態（電波の強弱、通信路の妨害）を検出する電波状態検出手段としての機能を備える。検出された電波状態を示す情報は、ＴＶコマンド信号７１としてＴＶマイコン６４に送られる。なお、通信状態の検出は、受信電波の電界強度、エラー率、およびエラー率に基づく再送要求のうち、何れか１つを利用してもよいし、２つ以上を組み合わせて利用してもよい。また、ワイヤレスセンタ２のＳＳ送受信ユニット３６にコマンド伝送してもよい。
【００８３】
本実施の形態では、ＴＶ本体３の第２のＳＳ−ＣＰＵ８４が上記電波状態検出機能を備える構成を示したが、ワイヤレスセンタ２の第１のＳＳ−ＣＰＵ５４が同様の機能を備え、検出した電波状態を示す情報をワイヤレスセンタ２からＴＶ本体３にコマンド伝送する態様でもよい。あるいは、第１のＳＳ−ＣＰＵ５４及び第２のＳＳ−ＣＰＵ８４双方が電波状態検出機能を備える構成でもよい。さらに、上記電波状態検出機能をＴＶマイコン６４又はワイヤレスセンタマイコン３７が行う態様でもよい。
【００８４】
ＴＶマイコン６４は、ＣＰＵ、記憶手段等からなり、ＡＶ機器コントロール処理の実行を含む装置全体の制御を行う。上記記憶手段は、ＲＯＭ、ＲＡＭ、及び電気的に書換可能な不揮発性メモリであるＥＥＰＲＯＭやフラッシュＲＯＭなどを備え、プログラム、通信制御データ、さらに端末の識別コード等の種々のデータを記憶する。
【００８５】
特に、ＴＶマイコン６４は、ネットワークに接続されたＡＶ機器を、少なくとも送信機器と受信機器とに分けてＴＶ部６３の表示画面上にグラフィック表示するとともに、距離又は通信状態に応じてＡＶ機器の表示を変える制御を行う。すなわち、ＴＶマイコン６４は、ネットワークに接続された全てのＡＶ機器を、画面上で遠近感を示すようにグラフィック表示する制御を行う。
【００８６】
また、ＴＶマイコン６４は、内部にＯＳＤ発生部１１０（表示制御手段）を有し、番組のチャンネル、時刻、音量などの情報をテレビ等の画面上に表示制御する。ＴＶ等の映像装置、テレビ会議システム等の電子機器では、番組のチャンネル、時刻、音量などの情報をテレビ画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。また、ＴＶ出力兼用ビデオ４入力端子（外部入力４）２１に図示しないＤＶＤ等の画像再生装置を接続すれば、表示画面上に再生画像に重畳してＯＳＤ表示が可能である。なお、テレビ放送などの原画像とＯＳＤ表示との画像重畳処理は、ＯＳＤ合成部６９が行う。
【００８７】
ネットワークに接続されたＡＶ機器は、ＴＶ部６３の表示画面上に再生画像に重畳してＯＳＤ表示される。なお、本実施の形態では、ＯＳＤ表示としているが、表示画面上に映像の他にグラフィックな表示ができるものであればどのような表示方法でもよく、例えばアプリケーション実行によりグラフィック画像を合成表示する態様でもよい。
【００８８】
ネットワーク上の各ＡＶ機器が、送信機器と受信機器とに大別して表示され、さらに、受信機器は映像機器と音響機器とに分けて表示される。すなわち、ネットワーク中の全てのＡＶ機器を、ＴＶ部６３上で表示する。
【００８９】
また、図示は省略するが、ＴＶ本体３は、スピーカ、キー入力部、カード型外部拡張記憶媒体を挿脱するためのスロット等を備え、カード型外部拡張記憶媒体を該スロットに装着してデータを直接読み取る構成としてもよい。カード型外部拡張記憶媒体は、例えば電源バックアップにより書き込まれた情報を保持するＳＲＡＭ（Static RAM）カードや電源バックアップが不要なフラッシュメモリ等からなるコンパクトフラッシュ（Compact Flash）（ＣＦ）（登録商標）、スマートメディア（Smart Media）（商標）、メモリースティック（商標）、さらにはコンパクトフラッシュ（登録商標）と同程度の大きさ又はＰＣカードTypeIIに装着可能な超小型ハードディスクドライブ（ＨＤＤ）等である。
【００９０】
リモコン受光部６６は、ＩＲ（Infrared：赤外線）を使用する光通信ポート部であり、ＴＶ本体３又はワイヤレスセンタ２に対して各種操作を行うリモコン装置からの光信号を受光する。具体的には、赤外線を利用してデータを伝送するための規格であるＩｒＤＡ（Infrared Data Association），ＡＳＫ（Amplitude Shift Keying）等に準拠して光通信を行うためのＩ／Ｏポート、又は電波による無線通信ポートである。
【００９１】
バッテリ６７は、ＴＶ本体３各部に所定の電源を供給する。バッテリチャージャマイコン６８は、バッテリ６７が充電可能状態になったとき、例えばＴＶ本体３がワイヤレスセンタ２やその他のクレードル等に装着されたことを検知したり、ＡＣ電源２２またはＣａｒ−ＤＣ電源２３に接続されたことを検知したりすると、バッテリ６７の充電媒体に対し電力供給端子（いずれも図示略）を介して充放電の制御を行う。バッテリチャージャマイコン６８は、具体的にはバッテリパックの放電電流を積算し、バッテリパックの残存容量が所定値以下になったと判断したときに充電を開始するとともに、充電時にはバッテリパックへの充電電流を積算しバッテリパックが満充電状態になったと判断したときに充電を停止させる。充電されたバッテリ６７は、ＴＶ本体３が商用電源から切り離された場合に携帯ＴＶの主電源となり、本体各部に電力を供給する。
【００９２】
以下、上述のように構成されたワイヤレスＡＶシステム１の動作を説明する。
【００９３】
図４は、複数の送受信機によるネットワーク構成を示す図である。図示のように、部屋Ａには送信機Ａ−１及び送信機Ａ−２とその受信機があり、部屋Ｂには送信機Ｂ−１及び送信機Ｂ−２があり、部屋Ｃには送信機Ｃ−１及び送信機Ｃ−２がある。送信機Ａ−１，Ａ−２，Ｂ−１，Ｂ−２，Ｃ−１，Ｃ−２は、上述したワイヤレスＡＶシステム１のワイヤレスセンタ２に、受信機は、ワイヤレスＡＶシステム１のＴＶ本体３にそれぞれ対応する。
【００９４】
家庭内ＡＶネットワークを実現するための技術として、例えば２０００年１月に標準化が完了したＨＡＶｉ（Home Audio/Video Interoperability）Architectureと呼ばれる標準仕様がある。この仕様は、HAVi V1.0 Specification版の概要部分（1 Generalの1.1 Scope）に記述されているように、家庭用電化製品やコンピュータを接続して、ユーザが或る機器を使って別の機器を操作するためのインタフェースを提供するためのものである。
【００９５】
ＨＡＶｉ仕様書では、一例としてＩＥＥＥ１３９４とＩＥＣ（International Electrotechnical Commission）６１８８３準拠の家庭用電化製品とによるネットワークの構築を想定している。また、同仕様書の同概要部分に記述のように、ＨＡＶｉによって実現されたネットワークに接続されている機器をすべてのユーザが自由に使用できる。このように、ＨＡＶｉに基づいて家庭内にあるＡＶ機器を接続してＡＶネットワークを構築することにより、ユーザは離れた部屋にあるＡＶ機器であっても自由に組み合わせて使用できる。
【００９６】
ワイヤレスＡＶシステム１としては、無線ＬＡＮ、Ｂｌｕｅｔｏｏｔｈ（商標）、ＵＷＢ（Ultra Wideband）などが使用される。無線ＬＡＮは、無線ＬＡＮ機能を持つ携帯ノート型パソコン、ＰＤＡ（Personal Digital Assistants）などの携帯情報端末に幅広く用いられている。より低消費電力が要求される携帯電話機では、Ｂｌｕｅｔｏｏｔｈ（商標），ＵＷＢなどの小電力近距離双方向無線通信方式が注目されている。Ｂｌｕｅｔｏｏｔｈ（商標）は、マスタ（サーバ）とスレーブ（クライアント）との間で近距離の双方向無線通信を行うシステムであり、地球上の任意の場所で機器間の通信を可能にするため、全世界で使える２．４ＧＨｚ周波数帯を使用する。
【００９７】
図５は、図４のネットワーク構成を受信機（ＴＶ本体３）の表示画面に表示する方法を説明する図である。図示のように、ネットワーク上の各ＡＶ機器が、各部屋ごとに送信機及び受信機からなる無線通信装置として表示される。すなわち、ネットワーク中の全ての無線通信装置を、ＴＶ部６３上で表示する。図５では、部屋Ａの送信機Ａ−１及び送信機Ａ−２と、部屋Ｂの送信機Ｂ−１及び送信機Ｂ−２と、部屋Ｃの送信機Ｃ−１及び送信機Ｃ−２とが、ＴＶ部６３上にアイコンにより表示される。また、機種名等の詳細情報も表示される。
【００９８】
ネットワークに接続されたＡＶ機器を表示する場合、上記各ＡＶ機器はユーザが位置しかつ受信機が位置する部屋Ａを中心として近い距離のものほど、画面上に大きく表示される。例えば、部屋Ｂが部屋Ａから最も遠くにある場合、部屋Ｂにある送信機Ｂ−１及び送信機Ｂ−２は最も小さく表示される。図５の例では、距離に応じて機器の表示の大きさを変える例であるが、これは一例であり、表示の濃淡や色を変えたり、３Ｄ表示できる表示装置であれば遠近感を表す表示効果を利用して表示したりする形態でもよい。あるいは、これらの組み合わせも可能である。
【００９９】
次に、図４に示されるネットワーク構成を図５に示されるように表示画面に表示するための処理手順について図６および図７に基づいて説明する。図６は、この表示処理手順を示すフロー図である。図７は、上記表示画面に各部屋を示す表示枠と、各送信機を示す画像とを表示する位置の詳細を示している。図７では、表示画面の水平方向をＸ方向とし、垂直方向をＹ方向としている。また、表示画面の左上を座標（０，０）としている。
【０１００】
ここで、各機器（送信機）は、どの部屋に位置するかが予め登録されているものとする。すなわち、上記ネットワーク構成では、部屋Ａには、送信機Ａ−１および送信機Ａ−２が位置し、部屋Ｂには、送信機Ｂ−１および送信機Ｂ−２が位置し、部屋Ｃには、送信機Ｃ−１および送信機Ｃ−２が位置することが受信機（ＴＶ本体３）に予め登録されている。
【０１０１】
図６に示されるように、まず、各送信機Ａ−１，Ａ−２，Ｂ−１，Ｂ−２，Ｃ−１，Ｃ−２の受信感度Ｒａ１，Ｒａ２，Ｒｂ１，Ｒｂ２，Ｒｃ１，Ｒｃ２をそれぞれ求める（ステップＳ１００。以下、単に「Ｓ１００」と記載することがある。他のステップについても同様である。）。次に、各部屋Ａ，Ｂ，Ｃに存在する送信機の平均受信感度Ｒａ＝（Ｒａ１＋Ｒａ２）／２，Ｒｂ＝（Ｒｂ１＋Ｒｂ２）／２，Ｒｃ＝（Ｒｃ１＋Ｒｃ２）／２をそれぞれ求める（Ｓ１０１）。
【０１０２】
次に、求めた平均受信感度Ｒａ，Ｒｂ，Ｒｃから、各部屋Ａ，Ｂ，Ｃを示す表示枠の大きさを求める（Ｓ１０２）。すなわち、各部屋Ａ，Ｂ，Ｃの表示枠におけるＸ方向の長さＬｘａ，Ｌｘｂ，ＬｘｃとＹ方向の長さＬｙａ，Ｌｙｂ，Ｌｙｃとを、Ｌｘａ：Ｌｘｂ：Ｌｘｃ＝Ｌｙａ：Ｌｙｂ：Ｌｙｃ＝Ｒａ：Ｒｂ：Ｒｃを満足するように決定する。
【０１０３】
次に、各部屋Ａ，Ｂ，Ｃの表示枠を表示画面に描画するように表示制御する（Ｓ１０３）。すなわち、まず、図７に示されるように、各部屋Ａ，Ｂ，Ｃの表示枠の中心座標（Ｘａ，Ｙａ），（Ｘｂ，Ｙｂ），（Ｘｃ，Ｙｃ）を、表示画面に均等に配置されるように求める。次に、求めた各部屋Ａ，Ｂ，Ｃの表示枠の中心座標と、ステップＳ１０２で求めた各部屋Ａ，Ｂ，Ｃの表示枠の大きさとに基づいて、各部屋Ａ，Ｂ，Ｃの表示枠を表示画面に描画させる。例えば、部屋Ａに関しては、各頂点の座標が（Ｘａ−Ｌｘａ／２，Ｙａ−Ｌｙａ／２），（Ｘａ＋Ｌｘａ／２，Ｙａ−Ｌｙａ／２），（Ｘａ−Ｌｘａ／２，Ｙａ＋Ｌｙａ／２），（Ｘａ＋Ｌｘａ／２，Ｙａ＋Ｌｙａ／２）となる表示枠が描画される。
【０１０４】
次に、各送信機の受信感度から、各部屋に存在する送信機（機器）を示す画像の大きさを求める（Ｓ１０４）。具体的には、送信機Ａ−１，送信機Ａ−２を示す画像のＸ方向の長さＬｘａ１，Ｌｘａ２とＹ方向の長さＬｙａ１，Ｌｙａ２とを、Ｌｘａ１：Ｌｘａ２＝Ｌｙａ１：Ｌｙａ２＝Ｒａ１：Ｒａ２を満足するように決定する。同様に、送信機Ｂ−１，送信機Ｂ−２を示す画像のＸ方向の長さＬｘｂ１，Ｌｘｂ２とＹ方向の長さＬｙｂ１，Ｌｙｂ２とを、Ｌｘｂ１：Ｌｘｂ２＝Ｌｙｂ１：Ｌｙｂ２＝Ｒｂ１：Ｒｂ２を満足するように決定し、送信機Ｃ−１，送信機Ｃ−２を示す画像のＸ方向の長さＬｘｃ１，Ｌｘｃ２とＹ方向の長さＬｙｃ１，Ｌｙｃ２とを、Ｌｘｃ１：Ｌｘｃ２＝Ｌｙｃ１：Ｌｙｃ２＝Ｒｃ１：Ｒｃ２を満足するように決定する。
【０１０５】
そして、各送信機を示す画像を、該送信機が存在する部屋を示す表示枠内にそれぞれ描画するように表示制御する（Ｓ１０５）。例えば、送信機Ａ−１に関しては、部屋Ａの表示枠内に、Ｘ方向の長さがＬｘａ１となり、Ｙ方向の長さがＬｙａ１となる画像が描画される。
【０１０６】
以上説明したように、本実施の形態に係るワイヤレスＡＶシステム１は、ベース機器としてのワイヤレスセンタ２と、端末装置としてのＴＶ本体３とから構成され、ＴＶ本体３は、ワイヤレスセンタ２のＳＳ送信ユニット３６から送信されたＭＰＥＧ２ストリームやコマンド伝送データを受信するとともに、受信したＭＰＥＧ２ストリームなどをデコードするＳＳ受信ユニット６１と、映像信号に基づいて表示出力し音声信号に基づいて音声出力するＴＶ部６３と、装置全体の制御を行うＴＶマイコン６４と、受信電波の電界強度、エラー率、エラー率に基づく再送要求によりワイヤレスセンタ２およびＴＶ本体３間の通信状態を検出する第２のＳＳ−ＣＰＵ８４とを備える。ＴＶマイコン６４は、ネットワークに接続されたＡＶ機器を、ＴＶ部６３の画面上で遠近感を示すようにアイコン等でＯＳＤ表示する。
【０１０７】
これにより、ユーザが見ているＴＶ本体３に近いＡＶ機器ほど大きく表示され、離れた部屋にあるＡＶ機器は小さく表示されることになりネットワークに接続されているＡＶ機器等の接続状況を感覚的に分りやすく知ることができる。また、各部屋に位置する送信機を部屋毎に表示することにより、受信機から送信機までの距離が似ている複数の送信機であっても、部屋が異なることにより、送信機の位置を容易に識別することができる。
【０１０８】
なお、本実施の形態では、ネットワークに接続されているＡＶ機器をＴＶ部６３にＯＳＤ表示することにより、接続状況を知らせるようにしているが、ＯＳＤ表示に限らずどのような表示方法でもよい。
【０１０９】
また、本実施の形態では、通信状態に応じて距離を判別しているが、ＧＰＳ（Global Positioning System）を用いて位置を検出するものでもよく、同様の効果を得ることができる。但し、本実施の形態のように電波強度、エラー率、エラー率に基づく再送要求を用いるものは、既設の部材をそのまま用いることができること、ソフトウェアの変更のみで実現できることから容易かつ低コストで実施できる効果がある。
【０１１０】
また、本実施の形態では、通信状態の検出をＴＶ本体３のＳＳ送受信ユニット６１が行っているが、ワイヤレスセンタ２のＳＳ送受信ユニット３６が通信状態の検出を行い、検出結果をＴＶ本体３のＳＳ送受信ユニット６１に無線送信することもできる。この場合、通信状態の検出をＴＶ本体３で行う必要がないから、ＴＶ本体３の小型化、低消費電力化を図ることができる。
【０１１１】
さらに、送信機（ワイヤレスセンタ２）が他の送信機（ワイヤレスセンタ２）との通信状態を検出し、検出結果を受信機（ＴＶ本体３）に送信することもできる。図８は、受信機だけでなく、送信機Ａ−２，Ｃ−１も、受信機および他の送信機のそれぞれとの通信状態を検出した検出結果を表形式で示す図である。図示のような検出結果を受信機が取得することにより、図４に示されるように、受信機と送信機との間の平面上の位置関係を受信機の表示画面に表示させることができ、送信機の位置を一層容易に把握することができる。
【０１１２】
また、ＴＶ本体３は、通信可能なワイヤレスセンタ２のうち、通信リンクが確立されたワイヤレスセンタ２との通信状態を取得しても良い。この場合、ユーザが通信を所望するワイヤレスセンタ２との通信状態を把握できるため、通信状態が改善されるようにＴＶ本体３を移動させることができる。
【０１１３】
以上、本発明のワイヤレスＡＶシステムにおける機器制御システムについて、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【０１１４】
また、上記実施形態では、ワイヤレスＡＶ機器として携帯ＴＶを用いているが、ＴＶ受信機に限らず無線通信機能を持った又はその融合された装置に適用可能である。例えば、ＡＶ機器として、ＶＴＲ（Video Tape Recorder）のほか、ＨＤＤやＤＶＤに記録する記録再生装置でもよい。また、データ送受信の可能な装置として、パソコンに代表される情報機器機能に融合された装置であってもよく、全てのシステムに適用可能である。また、送受信データの内容はどのようなものであってもよい。
【０１１５】
また、本実施の形態では、ＴＶ受信機で説明したが、これに限定されるものではなく、前述のように、チューナとパソコンや、チューナを使用する他のＡＶ機器にも応用できる。
【０１１６】
また、上記無線通信装置及びワイヤレスＡＶシステムを構成する各処理部等の種類、設定情報の種類・形式などは前述した実施形態に限られない。特に、ＨＡＶｉに準拠する機器に適用して好適である。
【０１１７】
また、チューナとして、ＢＳチューナとＵＨＦ／ＶＨＦチューナの２つの放送を例に挙げているが、ＣＳチューナなど放送の種類や数はこれに限定されるものではない。
【０１１８】
また、本実施の形態では無線通信装置及びワイヤレスＡＶシステムという名称を用いたが、これは説明の便宜上であり、無線通信機器、ＡＶ機器、機器コントロールシステム等であってもよい。
【０１１９】
以上説明したワイヤレスＡＶシステムは、このワイヤレスＡＶシステムを機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。
【０１２０】
いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【０１２１】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【０１２２】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。
【０１２３】
なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【０１２４】
なお、本実施の形態は本発明の範囲を限定するものではなく、本発明の範囲内で種々の変更が可能であり、例えば、以下のように構成することができる。
【０１２５】
例えば、本発明のワイヤレスＡＶシステムは、ネットワーク上に接続された１又は複数の表示装置と機器とを含むワイヤレスＡＶシステムであって、前記表示装置は、前記表示装置と前記機器間の通信状態を検出する通信状態検出手段と、前記ネットワークに接続された機器を、通信状態に応じて表示手段の画面上に表示する制御手段とを備える構成である。
【０１２６】
前記通信状態検出手段は、受信電波の電界強度、又はエラー率、又はエラー率に基づく再送要求回数により通信状態を検出するものであってもよい。
【０１２７】
前記通信状態検出手段は、通信リンクが確立された前記表示装置と前記機器間の通信状態を検出するものであってもよい。
【０１２８】
前記制御手段は、ネットワークに接続された機器を、画面上で遠近感を示すように表示することがより好ましい。
【０１２９】
前記制御手段は、ネットワークに接続された機器を、通信状態に応じた形態で表示するものである。
【０１３０】
具体的な態様として、前記機器は、表示装置と、放送受信用チューナを有し、前記表示装置に映像及び音声データを伝送するセンタ装置とからなるテレビジョン受信機である。
【０１３１】
また、本発明は、ネットワーク上に接続された１又は複数の表示装置と機器とを含むワイヤレスＡＶシステムであって、前記表示装置と前記機器間の通信状態を検出し、前記ネットワークに接続された機器を、通信状態に応じて表示手段の画面上に表示する処理をコンピュータに実行させるためのプログラムである。
【０１３２】
さらに、本発明は、ネットワーク上に接続された１又は複数の表示装置と機器とを含むワイヤレスＡＶシステムであって、前記表示装置と前記機器間の通信状態を検出し、前記ネットワークに接続された機器を、通信状態に応じて表示手段の画面上に表示する処理をコンピュータに実行させるためのプログラムを記録したことを特徴とするコンピュータ読み取り可能な記録媒体である。
【０１３３】
本発明によれば、ネットワークに接続されているＡＶ機器等を容易に知ることができ、ユーザの使い勝手を向上させることができる。
【産業上の利用可能性】
【０１３４】
本発明のワイヤレスシステムは、映像及び／又は音声データを無線伝送する、例えばディスプレイ分離型のワイヤレスＴＶ受信機のような家庭内ＡＶネットワークシステムに好適であるが、これに限定されず、携帯電話機／ＰＨＳ（Personal Handy-Phone System）（登録商標）や携帯情報端末（ＰＤＡ）などの無線通信機器に広く適用可能である。
【図面の簡単な説明】
【０１３５】
【図１】本発明の一実施形態のワイヤレスＡＶシステムの構成を示すブロック図である。
【図２】図１に示したワイヤレスＡＶシステムのワイヤレスセンタの構成を示すブロック図である。
【図３】図１に示したワイヤレスＡＶシステムのＴＶ本体の構成を示すブロック図である。
【図４】図２に示した６台のワイヤレスセンタを送信機とし、図３に示した１台のＴＶ本体を受信機として利用する態様を示すブロック図である。
【図５】図４に示した構成が、受信機の表示画面に表示される例を示す図である。
【図６】図４に示した構成から、図５に示した表示例が表示される処理動作を示すフロー図である。
【図７】図４に示した受信機の表示画面に、各部屋を示す表示枠と、各送信機を示す画像とを表示する位置の詳細を示すブロック図である。
【図８】図４に示した受信機とともに、図４に示した２台の送信機が、受信機および他の送信機のそれぞれとの通信状態を検出した検出結果を表形式で示す図である。
【図９】図１に示したワイヤレスＡＶシステムの概略を示した説明図である。
【図１０】従来のＡＶコントロールシステムの一例を示すブロック図である。
【符号の説明】
【０１３６】
１  ワイヤレスＡＶシステム（無線通信システム）
２  ワイヤレスセンタユニット（ワイヤレスセンタ）（送信機）（通信装置）
３、３ａ〜ｃ  テレビジョン本体ユニット（ＴＶ本体）（受信機）（表示装置）
１１  ＢＳ端子
１２  Ｕ／ＶＨＦアンテナ端子
１３  ダイバーシティ端子
１４  ビデオ１入力端子（Ｓ端子付き）
１５  ビデオ２入力端子（デコーダ入力）
１６  ビデオ３入力端子（モニタ／ＢＳ出力兼用）
１７  ＡＣ電源部
１８  Ｃａｒ−ＤＣ電源部
２１  ビデオ４入力端子（ＴＶ出力兼用）
２２  ＡＣ電源部
２３  Ｃａｒ−ＤＣ電源部
３１  ＢＳチューナ
３２  Ｕ／ＶＨＦチューナ
３３  映像・音声復調部
３４  音声切換部
３５  第１のセレクタ
３６  ＳＳ送受信ユニット（通信手段）（通信状態検出手段）（通信状態送信手段）
３７  ワイヤレスセンタマイクロコンピュータ（ワイヤレスセンタマイコン）（制御手段）
３８  ＥＥＰＲＯＭ（記憶手段）
５１  Ａ／Ｄ変換部
５２  ＭＰＥＧ２エンコーダ
５３  ＳＳ無線送受信エンジン
５４  ＳＳ−ＣＰＵ
６１  ＳＳ送受信ユニット（通信手段）（通信状態検出手段）（通信状態取得手段）
６２  第２のセレクタ
６３  ＴＶ部（表示手段）
６５  ＥＥＰＲＯＭ（記憶手段）
６４  ＴＶマイコン（制御手段）
６６  リモコン受光部
６７  バッテリ
６８  バッテリチャージャマイコン
８１  ＳＳ無線送受信エンジン
８２  ＭＰＥＧ２デコーダ
８３  Ｄ／Ａ変換部
８４  第２のＳＳ−ＣＰＵ
１１０  ＯＳＤ発生部（表示制御手段）
【図１】
0003638942.tif 000002
【図２】
0003638942.tif 000003
【図３】
0003638942.tif 000004
【図４】
0003638942.tif 000005
【図５】
0003638942.tif 000006
【図６】
0003638942.tif 000007
【図７】
0003638942.tif 000008
【図８】
0003638942.tif 000009
【図９】
0003638942.tif 000010
【図１０】
0003638942.tif 000011